【手続補正書】
【提出日】平成19年5月25日(2007.5.25)
【手続補正１】
【補正対象書類名】明細書
【補正対象項目名】特許請求の範囲
【補正方法】変更
【補正の内容】
【特許請求の範囲】
【請求項１】  複数の移動局と複数の基地局を有する無線ネットワークとを含む無線通信システムにおける方法であって、
（ａ）第１チャネルに対する前記無線ネットワークから基地局への第１パスリンクの確立と、前記第１チャネルに対する前記基地局から移動局への第２パスリンクとの確立を含む移動局の接続を前記第１チャネル上で最初に確立し、
（ｂ）前記接続を前記第１チャネルから第２チャネルへ切換え、
（ｃ）その後、前記最初に確立された第１パスリンクの少なくとも一部を使用して前記第１チャネル上の前記接続を再確立することを特徴とする方法。
【請求項２】  前記第１及び前記第２チャネルは、異なるタイプのチャネルであることを特徴とする請求項１に記載の方法。
【請求項３】  前記第１チャネルは専用チャネルであり、前記第２チャネルは共通チャネルであることを特徴とする請求項１に記載の方法。
【請求項４】  前記再確立工程（ｃ）は、更に、
前記第１チャネルに対する新規な第２パスリンクを前記接続に割り当てることを特徴とする請求項１に記載の方法。
【請求項５】  前記第２パスリンクは複数の無線資源を含み、前記再確立工程（ｃ）は、更に、
前記最初に確立された第２パスリンクで維持される前記複数の無線資源の１つを使用し、かつ別の新規な無線資源を前記接続に割り当てることによって、前記第１チャネル上の該接続を再確立することを特徴とする請求項１に記載の方法。
【請求項６】  前記第１パスリンクは複数の部分を含み、前記再確立工程（ｃ）は、最初に確立された前記複数の部分すべてを使用することを特徴とする請求項１に記載の方法。
【請求項７】  前記再確立工程（ｃ）に対して、前記最初に確立された第１パスリンクは再起動されることを特徴とする請求項１に記載の方法。
【請求項８】  前記複数の基地局は無線ネットワークコントローラに接続され、前記第１パスリンクは、無線ネットワーク制御ノードに付随する第１部分と、前記無線ネットワーク制御ノードと前記基地局の１つとの間の第２部分と、かつ該基地局に付随する第３部分とを含み、前記少なくとも一部は、前記３つの部分のいずれか１つに対応することを特徴とする請求項１に記載の方法。
【請求項９】  前記３つの部分の内の２つは、前記再確立工程（ｃ）で使用されることを特徴とする請求項８に記載の方法。
【請求項１０】  前記再確立工程（ｃ）は、前記第２パスリンクに対して割当られた無線資源の一部だけを使用することを特徴とする請求項１に記載の方法。
【請求項１１】  更に、
前記工程（ｂ）における切換えの後、前記第１パスリンクの少なくとも一部を所定時間期間維持し、
前記所定時間期間経過しているかを検出し、
経過していない場合、前記再確立工程（ｃ）で前記最初に確立された第１パスリンクの前記少なくとも１部を使用することを特徴とする請求項１に記載の方法。
【請求項１２】  複数の移動局と複数の基地局を有する無線ネットワークとを含む無線通信システムにおいて、無線アクセスネットワークを通して移動局との接続をサポートするために第１チャネルを確立した後、該接続をサポートするための第１チャネルが使用されなくなった後、前記第１チャネルの一部はある時間期間維持され、続いて、前記維持されている第１チャネルの一部は、前記移動局への前記接続を再度サポートするために再起動する前記第１チャネルに付随する設定コストを最小化するために使用される方法。
【請求項１３】  前記第１チャネルの一部は前記無線アクセスネットワーク内の資源に付随し、該第１チャネルの別の一部は、該無線アクセスネットワークと前記移動局間の前記接続をサポートするために使用される無線チャネル資源に対応することを特徴とする請求項１２に記載の方法。
【請求項１４】  他の移動通信に対する１つの無線チャネル資源を利用可能にするために、前記接続をサポートするための前記第１チャネルが使用されなくなった後、複数の無線チャネル資源の１つに付随する該第１チャネルの別の一部が解放されることを特徴とする請求項１３に記載の方法。
【請求項１５】  更に、
前記一部に付随する値を確立し、
前記第１チャネルが使用されなくなった時点をカウントし、
前記カウントが前記値に到達した場合に前記維持されている一部を解放することを特徴とする請求項１２に記載の方法。
【請求項１６】  前記第１チャネルは、前記移動局とハンドオーバ動作で採用される前記無線アクセスネットワーク間に確立されている複数のチャネルの１つであることを特徴とする請求項１２に記載の方法。
【請求項１７】  前記ハンドオーバ動作中に、前記接続は、前記第１チャネルが確立されている第１無線アクセスネットワークから、前記無線アクセスネットワークを通して前記移動局への接続をサポートするために第２チャネルが確立されている第２無線アクセスネットワークへハンドオーバされることを特徴とする請求項１２に記載の方法。
【請求項１８】  前記第１チャネルは、一時的に前記移動局に専用される専用タイプチャネルに対応し、前記接続は、特定移動局に専用されない共通タイプチャネルに対応する第２チャネルへ切換えられることを特徴とする請求項１６に記載の方法。
【請求項１９】  前記無線ネットワークは、前記複数の基地局に接続される無線ネットワーク制御ノードを含み、前記第１チャネルは、前記無線ネットワーク制御ノードに付随する第１副部分と、前記無線ネットワーク制御ノードと前記基地局の１つとの間の第２副部分と、前記１つの基地局に付随する第３副部分とを含むいくつかの副部分を含むことを特徴とする請求項１２に記載の方法。
【請求項２０】  請求項１２に記載の前記一部は、前記３つの副部分の１つ以上に対応することを特徴とする請求項１９に記載の方法。
【請求項２１】  更に、
前記第１副部分に付随する第１の値と、前記第２副部分に付随する第２の値と、かつ前記第３副部分に付随する第３の値とを確立し
前記第１チャネルが使用されなくなった時点をカウントし、
前記カウントが前記第１、第２あるいは第３の値に到達した場合、前記維持されている第１、第２あるいは第３副部分を解放することを特徴とする請求項１９に記載の方法。
【請求項２２】  複数の移動局と、無線ネットワークコントローラに接続されているそれぞれが基地局に付随した複数のセルを有する無線ネットワークとを含む無線通信システムにおけるハンドオーバ方法であって、
第１セルの複数のリンクを有する第１チャネル上で、移動局との接続を最初に確立し、
第２セルの第２チャネル上で前記移動局との前記接続を確立し、
前記移動局との第１接続をサポートしないように前記第１チャネルを解放し、
前記第１チャネルの前記複数のリンクの１つあるいはその一部を維持し、
前記第１セルで前記移動局との前記接続が再確立される場合に、解放されているチャネルあるいはその一部の前記維持されているリンクをアクティブにすることを特徴とする方法。
【請求項２３】  前記第１セルは第１基地局に対応し、前記第２セルは第２基地局に対応し、前記ハンドオーバはハードハンドオーバであることを特徴とする請求項２２に記載の方法。
【請求項２４】  前記第１セルは第１基地局に対応し、前記第２セルは第２基地局に対応し、前記ハンドオーバはソフトハンドオーバであることを特徴とする請求項２２に記載の方法。
【請求項２５】  前記第１セルは第１基地局セクタに対応し、前記第２セルは第２基地局セクタに対応し、前記ハンドオーバはソフタハンドオーバであることを特徴とする請求項２２に記載の方法。
【請求項２６】  前記複数のリンクの別のリンクは、前記無線アクセスネットワークと前記移動局間の前記接続をサポートするために使用される複数のチャネル資源に対応し、前記解放工程は、他の移動通信に対する前記無線チャネル資源の１つを利用可能にするために該無線チャネル資源の１つを解放することを特徴とする請求項２２に記載の方法。
【請求項２７】  更に、
前記リンクの１つに付随する値を確立し、
前記第１チャネルが解放される時点をカウントし、
前記カウントが前記値に到達した場合に前記維持されているリンクを解放することを特徴とする請求項２６に記載の方法。
【請求項２８】  複数の移動局と複数の基地局を有する無線ネットワークとを含む無線通信システムにおける無線ネットワーク制御ノードであって、
第１チャネルと、移動局との接続をサポートするための第２チャネルの内の１つを選択するチャネルタイプスイッチと、
前記第１チャネルが第１及び第２チャネルリンクを含む移動局との前記接続を該第１チャネル上で最初に確立し、その後、前記第１チャネルから前記第２チャネルへ前記接続を切り換るために前記チャネルタイプスイッチを制御するコントローラとを備え、
前記コントローラは、前記第２チャネルから前記第１チャネルへ前記接続を切り換るために前記チャネルタイプスイッチを制御し、前記最初に確立された第１あるいは第２チャネルリンクの一部を使用して該第１チャネル上で前記接続を再確立することを特徴とする無線ネットワーク制御ノード。
【請求項２９】  前記無線ネットワーク制御ノードは、基地局であることを特徴とする請求項２８に記載の無線ネットワーク制御ノード。
【請求項３０】  前記無線ネットワーク制御ノードは、複数の基地局に接続され、前記コントローラは、前記第１チャネルに対する前記無線ネットワークから基地局への第１パスリンクと、該第１チャネルに対する前記基地局から前記移動局への第２パスリンクとを確立することを特徴とする請求項２８に記載の無線ネットワーク制御ノード。
【請求項３１】  前記第１パスリンクは、前記チャネルスイッチと転送処理インタフェース間のＲＮＣ内の第１資源と、前記ＲＮＣの前記転送処理インタフェースと基地局間の第２資源と、前記基地局転送処理インタフェースと無線トランシーバ間の基地局内の第３資源とを含み、前記少なくとも一部は、前記第１、第２あるいは第３資源のいずれかに対応することを特徴とする請求項３０に記載の無線ネットワーク制御ノード。
【請求項３２】  第１所定時間期間が経過しているかを検出する前記第１チャネルリンク用第１カウンタと、
第２所定時間期間が経過しているかを検出する前記第２チャネルリンク用第２カウンタと、
第３所定時間期間が経過しているかを検出する第３チャネルリンク用第３カウンタとを備え、
前記第１、第２あるいは第３カウンタが第１、第２あるいは第３所定時間期間の経過を検出した場合、前記コントローラは、前記維持されている第１、第２あるいは第３チャネルリンクを解放することを特徴とする請求項２８に記載の無線ネットワーク制御ノード。
【請求項３３】  前記第２パスリンクは複数の無線資源を含み、前記コントローラは前記複数の無線資源の１つを新規に割り当て、かつ前記接続をサポートするために前記第１チャネルが再確立される場合の前記第１チャネルリンクに対して最初に確立された該複数の無線資源の別の１つを使用することを特徴とする請求項３０に記載の無線ネットワーク制御ノード。
【請求項３４】  前記第２チャネルへ前記接続を切り換えた後、前記コントローラは前記第１パスリンクの少なくとも一部を所定時間期間維持し、
所定時間期間が経過しているかを検出する前記第１パスリンクに対応するカウンタを更に備え、
前記カウンタが前記所定時間期間の経過を検出すると、前記コントローラは前記維持されている第１パスリンクを解放することを特徴とする請求項３０に記載の無線ネットワーク制御ノード。
【請求項３５】  複数の移動局と、無線ネットワークコントローラに接続されているそれぞれが基地局に付随する複数のセルを有する無線ネットワークとを含む無線通信システムにおける装置であって、
移動局との接続をサポートするために第１セルの第１チャネルを最初に確保する手段と、
前記移動局との前記接続を第２セルの第２チャネル上で確立する手段と、
前記移動局との前記接続をサポートしないように前記第１チャネルを解放する手段と、
前記第１チャネルの一部を維持する手段と、
前記移動局との前記接続が前記第１セルで再確立される場合に前記維持されている第１チャネルの一部を起動する手段とを備えることを特徴とする装置。
【請求項３６】  前記第１セルは第１基地局に対応し、前記第２セルは第２基地局に対応し、ソフトハンドオーバを行うことを特徴とする請求項３５に記載の装置。
【請求項３７】  前記第１セルは第１基地局セクタに対応し、前記第２セルは第２基地局セクタに対応し、ソフタハンドオーバを行うことを特徴とする請求項３５に記載の装置。
【請求項３８】  前記第１セルから前記移動局へのチャネルリンクあるいはその一部が他の接続での使用を可能にするために解放される間、前記維持する手段は、前記無線ネットワーク及び前記第１セルに付随する１つ以上のチャネルリンクを維持することを特徴とする請求項３５に記載の装置。
【請求項３９】  複数の移動局と、無線ネットワークコントローラに接続されているそれぞれが基地局に付随する複数のセルを有する無線ネットワークとを含む無線通信システムにおける方法であって、
移動局との接続をサポートするための第１チャネルを最初に確保し、前記第１チャネルは、基地局と移動局間の前記接続をサポートする複数の資源を有し、
前記移動局との前記接続を第２チャネル上で確立し、
前記移動局との前記接続をサポートしないように前記第１チャネルに対する複数の資源を解放し、
前記第１チャネルに対する別の前記複数の資源の１つを維持し、
前記移動局との前記接続を再度サポートするために前記第１チャネルが確立される場合に前記維持されている第１チャネルの資源を起動することを特徴とする方法。
【請求項４０】  前記無線資源の１つは送信電力資源を含み、前記無線資源の別の資源は拡散符号を含むことを特徴とする請求項３９に記載の方法。